(57)【要約】【課題】ふみ（お手紙）と風呂敷（包み）を兼ね備えた新規なメッセージツールとして発送者が送るメッセージを受取人に強く印象付けることが可能な包装材を提供する。【解決手段】商品に巻き付けて包装する包装材１であって、台紙１０と、前記台紙１０の外面１０Ｓ（表面）に設けられた、メッセージを記入可能な記入欄１１と、前記台紙１０の内面１０Ｒ（裏面）に設けられ、所定の厚みを有するシート状のクッション材１２ａに、メッセージ１２ｂを含むデザイン１２ｃを型抜きして得られた緩衝材１２と、前記台紙１０の内面１０Ｒに前記緩衝材１２の内面を覆った状態で、少なくとも前記緩衝材１２の内面の四隅を前記台紙１０の内面１０Ｒの対応位置に接着する接着部１３とを備えることを特徴とする。【選択図】図１
2015140217.tif 000002
【特許請求の範囲】
【請求項１】
商品に巻き付けて包装する包装材であって、
台紙と、
前記台紙の外面に設けられた、メッセージを記入可能な記入欄と、
前記台紙の内面に設けられ、所定の厚みを有するシート状のクッション材に、メッセージを含むデザインを型抜きして得られた緩衝材と、
前記台紙の内面に前記緩衝材の内面を覆った状態で、少なくとも前記緩衝材の内面の四隅を前記台紙の内面の対応位置に接着する接着部と
を備えることを特徴とする包装材。
【請求項２】
記入欄の位置は、台紙の外面の巻き付け方向の一方の端部近傍に設けられ、緩衝材の位置は、台紙の内面の巻き付け方向の他方の端部近傍に、記入欄に対応する領域を除いた領域に設けられる
請求項１に記載の包装材。
【請求項３】
台紙の外面の記入欄の一対の隅に、所定のメッセージカードの一対の隅を差し込み可能な一対の切り込みが設けられる
請求項１又は２に記載の包装材。
【請求項４】
デザインの位置は、緩衝材の内面又は外面に均等に分散して設けられる
請求項１−３のいずれか一項に記載の包装材。
【発明の詳細な説明】
【技術分野】
【０００１】
本発明は、包装材に関し、詳しくは、ふみ（お手紙）と風呂敷（包み）を兼ね備えた新規なメッセージツールとして発送者が送るメッセージを受取人に強く印象付けることが可能な包装材に関する。
【背景技術】
【０００２】
従来より、機能性に優れた包装材又は緩衝材の技術は多数存在する。例えば、特開２００８−１２０４０６号公報（特許文献１）には、台紙の片側に凹凸を有する緩衝材が貼付され、台紙又は緩衝材に設けられた折り畳み予定部で二つに折り畳まれて使用される台紙付き緩衝材が開示されている。この緩衝材では、前記折り畳み予定部によって分割された何れかの側の台紙または緩衝材の少なくとも一部に、剥離紙で被覆された粘着部が形成され、前記剥離紙には、剥離紙の周縁に沿って剥離紙の一部を剥ぎ取って粘着部の一部を露出するための切込みが形成されている。これにより、ユーザーは、剥離紙の一部を切り込み部で剥ぎ取って粘着部を露出させ、凹凸を有する緩衝材の間に送付物を挟み、送付物を封緘して、封筒などで送付物を安全に送付することができるとしている。又、この緩衝材は、台紙または緩衝材、または、台紙、緩衝材の両方の表出面に印刷が施されている。これにより、広告や注意書きを印刷することができ、台紙付き緩衝材の表出するスペースを有効に利用することができるとしている。
【０００３】
又、実用新案登録第３０８３００５号公報（特許文献２）には、梱包用緩衝材へチラシやカタログ等広告を接着付属した広告兼用梱包用緩衝材が開示されている。この緩衝材では、チラシやカタログ等広告を入れた透視性の高い袋を接着付属した広告兼用梱包用緩衝材としている。これにより、単独で行われてきたチラシやカタログ等の配布行為が低減することにより運送配達回数が低減し、環境負担が低減するとしている。又、広告主の配布・通信料にかかる金銭的負担が低減し、従来行われていた広告物の混載（積み合せ）にありがちだった積み忘れが低減するとしている。
【０００４】
又、特開２００８−７４４７３号公報（特許文献３）には、表面に情報表示部を有するシート状基材と、シート状の基材が不規則な状態で交互に折り曲げられて凹凸部が形成された緩衝用部材とを有する情報表示機能付き緩衝材が開示されている。この緩衝材では、前記シート状基材の裏面側に、前記緩衝用部材が重ね合わされ、前記シート状基材の裏面側と前記緩衝用部材の表面側との少なくとも一端縁部分で綴じ合わされている。これにより、緩衝材を後から入れる必要がなく、商品をそのまま入れたり、包んだりするだけで緩衝効果があり、更に、外観上にも所望のデザインや情報を施して見る者に、情報伝達を可能にしたり、好印象を与えたりすることができるとしている。又、意匠効果にすぐれ、自然環境に悪影響をもたらさない緩衝効果を有するとしている。これに関係して、特開２００８−１００６９１号公報（特許文献４）、特開２００８−１００６９２号公報（特許文献５）、特開２００８−１００７５８号公報（特許文献６）、特開２００８−１００７５９号公報（特許文献７）が存在する。
【先行技術文献】
【特許文献】
【０００５】
【特許文献１】特開２００８−１２０４０６号公報
【特許文献２】実用新案登録第３０８３００５号公報
【特許文献３】特開２００８−７４４７３号公報
【特許文献４】特開２００８−１００６９１号公報
【特許文献５】特開２００８−１００６９２号公報
【特許文献６】特開２００８−１００７５８号公報
【特許文献７】特開２００８−１００７５９号公報
【発明の概要】
【発明が解決しようとする課題】
【０００６】
しかしながら、上述した特許文献１−７に記載の技術では、包装材又は緩衝材を用いて商品を発送する発送者が商品の受取人に対してメッセージを単に送るだけの機能しか無く、受取人にメッセージを強く印象付けることが出来ないという問題がある。
【０００７】
又、近年の発送システム、配送システムの向上に伴い、受取人が複数の発送者からそれぞれの商品を受け取る機会が多くなってきている。そのような現状の中で、受取人に対するメッセージの印象付けが成功すれば、受取人がリピーターとして特定の発送者に商品の発送を定期的に依頼することに繋がる可能性があり、発送者は、他の発送者と比較して、自己のメッセージを受取人にいかに印象付けるかに躍起している。そのため、発送者にとって、商品の受取を介して受取人に強く好印象を与えることは重要であり、発送者は、受取人にメッセージを強く印象付ける新しいメッセージツールを切望している。このような問題に対して、上述した特許文献１−７に記載の技術では解決することが出来ない。
【０００８】
そこで、本発明は、前記問題を解決するためになされたものであり、ふみ（お手紙）と風呂敷（包み）を兼ね備えた新規なメッセージツールとして発送者が送るメッセージを受取人に強く印象付けることが可能な包装材を提供することを目的とする。
【課題を解決するための手段】
【０００９】
本発明者は、鋭意研究を重ねた結果、本発明に係る新規な包装材を完成させた。即ち、本発明は、商品に巻き付けて包装する包装材であって、台紙と、前記台紙の外面に設けられた、メッセージを記入可能な記入欄と、前記台紙の内面に設けられ、所定の厚みを有するシート状のクッション材に、メッセージを含むデザインを型抜きして得られた緩衝材と、前記台紙の内面に前記緩衝材の内面を覆った状態で、少なくとも前記緩衝材の内面の四隅を前記台紙の内面の対応位置に接着する接着部とを備えることを特徴とする。
【発明の効果】
【００１０】
本発明に係る包装材によれば、ふみ（お手紙）と風呂敷（包み）を兼ね備えた新規なメッセージツールとして発送者が送るメッセージを受取人に強く印象付けることが可能となる。
【図面の簡単な説明】
【００１１】
【図１】本発明に係る包装材の外面と内面を示す図である。
【図２】本発明に係る包装材の内面を示す写真（図２Ａ）と、包装材の内面に商品を置いた状態を示す写真（図２Ｂ）とである。
【図３】包装材を商品に巻き付ける途中の状態を示す写真（図３Ａ）と、包装材を商品に巻き付けた状態を示す写真（図３Ｂ）と、包装材を商品に巻き付けた状態の中身を示す写真（図３Ｃ）と、包装材にメッセージカードを装着した状態を示す写真（図３Ｄ）とである。
【図４】側面部を有する緩衝材を備えた第一の包装材の外面及び内面を示す図と写真である。
【図５】側面部を有する緩衝材を備えた第二の包装材の外面及び内面を示す図と第三の包装材の内面を示す図とである。
【図６】正方形状の包装材の外面及び内面を示す図と写真である。
【発明を実施するための形態】
【００１２】
以下に、添付図面を参照して、本発明に係る包装材の実施形態について説明し、本発明の理解に供する。尚、以下の実施形態は、本発明を具体化した一例であって、本発明の技術的範囲を限定する性格のものではない。
【００１３】
本発明者は、発送者が送るメッセージを受取人に強く印象付けるために、ふみ（お手紙）と風呂敷（包み）を兼ね備えた新規なメッセージツールとして本発明の包装材を完成させた。
【００１４】
即ち、本発明は、図１に示すように、商品に巻き付けて包装する包装材１であって、台紙１０と、前記台紙１０の外面１０Ｓ（表面）に設けられた、メッセージを記入可能な記入欄１１と、前記台紙１０の内面１０Ｒ（裏面）に設けられ、所定の厚みを有するシート状のクッション材１２ａに、メッセージ１２ｂ（例えば、「ＳＰＥＣＩＡＬＤＡＹ！」）を含むデザイン１２ｃを型抜きして得られた緩衝材１２と、前記台紙１０の内面１０Ｒに前記緩衝材１２の内面（一方の面）を覆った状態で、少なくとも前記緩衝材１２の内面の四隅を前記台紙１０の内面１０Ｒの対応位置に接着する接着部１３とを備えることを特徴とする。尚、緩衝材１２は、クッション材１２ａにデザイン１２ｃを型抜きしているため、台紙１０の内面１０Ｒに接着する面は、一方の面でも他方の面でも構わない。これにより、発送者が送るメッセージを受取人に強く印象付けることが可能となる。
【００１５】
即ち、発送者が受取人に商品（例えば、本やカセット、ＤＶＤ、ＣＤ等の所定の厚みを有する長方形状の商品）を発送する際に、図２Ａに示すように、包装材１の台紙１０の内面１０Ｒを表にして、包装材１の緩衝材１２（外面、他方の面）を表にする。次に、発送者が、図２Ｂに示すように、包装材１の緩衝材１２の上面（外面、表面）に商品Ｍを置いて、緩衝材１２とともに台紙１０を商品Ｍに巻きつけると、図３Ａに示すように、台紙１０の外面１０Ｓの記入欄１１が現れる（露出される）。ここで、発送者が記入欄１１に受取人に対して特有のメッセージ（例えば、「ＴＨＡＮＫＳ！」、「毎度有難う御座います」、「おめでとう御座います」等）をサインペンや鉛筆等を用いて自由に記入すれば、受取人に様々なメッセージを送ることが可能となる。そして、図３Ｂ、図３Ｃに示すように、台紙１０を更に商品Ｍに巻き付ければ、商品Ｍは緩衝材１２を介して台紙１０に完全に包装される。
【００１６】
一方、受取人が包装後の包装材１を受け取った際に、この包装材１の台紙１０を広げると、図３Ａに示すように、当該台紙１０の表面１０Ｓの記入欄１１が受取人の目に入るため、先ず、受取人に発送者からのメッセージ（「ＴＨＡＮＫＳ！」）を最初に確認させることが可能となる。更に、受取人が台紙１０を広げて、図２Ｂに示すように、商品Ｍを確認して手に取れば、図２Ａに示すように、商品Ｍに接していた緩衝材１２が現れる（露出される）。ここで、この緩衝材１２は、メッセージ１２ｂ（「ＳＰＥＣＩＡＬＤＡＹ！」）を含むデザイン１２ｃが型抜きされているため、ここでも、受取人に発送者からのメッセージを確認させることが出来る。
【００１７】
つまり、受取人が商品包装後の包装材１を受け取った時点でも当該包装材１から商品Ｍを取り出した時点でも、少なくとも二回発送者からのメッセージを受取人に確認させることが可能となる。そのため、発送者からのメッセージを受取人に強く印象付けることが可能となる。
【００１８】
又、所定の厚みを有するシート状のクッション材１２ａにデザイン１２ｃが型抜きされた緩衝材１２が台紙１０に取り付けられているため、図２Ａに示すように、緩衝材１２のデザイン１２ｃが台紙１０から立体的に前面に飛び出るように現れる。更に、緩衝材１１の色（例えば、白色）が台紙１０の色（例えば、緑色）とコントラストを形成して、緩衝材１２のデザイン１２ｃを更に視覚的に際立たせる。そのため、受取人が商品Ｍを取り出した時点で緩衝材１２のデザイン１２ｃに目を強く惹き付けられることになり、発送者は、受取人に対して更に強い好印象を与え、受取人のリピート率を向上させることが可能となる。
【００１９】
又、緩衝材１２は、型抜きされるデザイン１２ｃの部分が空白となり、緩衝材１２全体の形状を比較的自由に変形することが出来る。更に、接着部１３は、台紙１０の内面１０Ｒの対応位置に緩衝材１２の内面の四隅を接着しており、緩衝材１２の内面の全面が台紙１０の内面１０Ｒにピッタリ接着している訳では無いから、台紙１０上において緩衝材１２の位置に遊びが生じて、緩衝材１２を比較的自由に動かすことが可能となる。そのため、発送者が、商品Ｍに緩衝材１２を当接させる際に、どのような形状の商品であっても、緩衝材１２の形状や位置を適宜変更させることで、緩衝材１２の形状を商品の形状に追従させて緩衝材１２を商品Ｍに適切に巻き付ける（包装する）ことが可能となる。つまり、本発明の包装材１は、緩衝材１２を商品Ｍの種類に柔軟に対応させることが可能であり、どのような商品Ｍであっても適切に包装することが可能となる。
【００２０】
従って、本発明の包装材１は、メッセージを送ることが可能なふみ（お手紙）の要素と、どのような種類の商品であっても包み込むことが可能な風呂敷（包み）の要素とを兼ね備えることが可能となるのである。
【００２１】
尚、開封後の包装材１（使用済の包装材１）は、緩衝材１２のデザイン１２ｃを活かして、テーブルの装飾マットや壁掛けに再利用したり、緩衝材１２の外面に写真を貼り付けて写真立てに再利用したりすることが可能である。
【００２２】
ここで、記入欄１１を含む台紙１０の材質は、本発明の目的を阻害しない限り、特に限定は無く、例えば、アート紙、コート紙、上質紙、クラフト紙、合成紙等を挙げることが出来る。これらの材質は、例えば、サインペンや鉛筆等で所定の文字を記入することが出来る材質である。尚、記入欄１１は、手書きの他に印刷で記入しても構わない。
【００２３】
又、台紙１０には、巻き付け方向と直角方向に沿って折り線や溝を適宜設けて、包装材１全体を商品Ｍに巻き付け容易となる構成としても良い。
【００２４】
又、記入欄１１の位置は、本発明の目的を阻害しない限り、特に限定は無く、例えば、図１に示すように、台紙１０の外面１０Ｓの巻き付け方向の一方の端部近傍１０ａに設けられ、緩衝材１２の位置は、台紙１０の内面１０Ｒの巻き付け方向の他方の端部近傍１０ｂに、記入欄１１に対応する領域１０ｃを除いた領域１０ｄに設けられると好ましい。この場合、記入欄１１の位置は、台紙１０を介して緩衝材１２の内面に対向する位置となる。つまり、記入欄１１と緩衝材１２の配置位置は、台紙１０の巻き付け方向の一方の端部近傍に共通する。これにより、図３Ａに示すように、商品Ｍを緩衝材１２（巻き付け方向の他方の端部側）に置いて台紙１０の外面１０Ｓの巻き付け方向の一方の端部近傍１０ａを商品Ｍに巻き付ければ、当該一方の端部近傍１０ａに設けられた記入欄１１が現れる。更に、図３Ａに示すように、台紙１０の外面１０Ｓの巻き付け方向の他方の端部近傍を商品Ｍに巻き付ければ、緩衝材１２が存在しない台紙１０の内面１０Ｒの巻き付け方向の他方の端部近傍１０ｂが、丁度、記入欄１１を覆い隠すことになる。そして、受取人がこの台紙１０を広げる際に、台紙１０の外面１０Ｓの巻き付け方向の他方の端部近傍に隠された記入欄１１が突如現れるため、受取人に意外性を与え、興味を持たせることが可能となる。又、商品Ｍに台紙１０を巻き付ける際に、緩衝材１２が内部で重複すること無く商品Ｍに巻き付けることが出来るため、包装材１全体としてコンパクトに梱包することが可能となる。
【００２５】
又、図１、図３Ｄに示すように、台紙１０の外面１０Ｓの記入欄１１の一対の隅に、所定のメッセージカードＣの一対の隅を差し込み可能な一対の切り込み１４を設けると好ましい。これにより、例えば、発送者が記入欄１１にメッセージを記入した後に、当該記入欄１１を覆った状態でメッセージカードＣを切り込み１４に装着すると、記入欄１１を覆い隠すことが出来る。そして、これを受け取った受取人は、先ず、メッセージカードＣを確認することで、発送者からのメッセージを受け取り、このメッセージカードＣを外すと、この下面にある記入欄１１のメッセージが突如現れて、受取人に、更に、発送者からのメッセージを確認させることが出来る。このように、受取人に様々な場面において発送者からのメッセージを確認させるように構成することで、受取人に多くのメッセージを伝えて好印象を与えることが可能となる。
【００２６】
又、図３Ｂに示すように、台紙１０の外面１０Ｓの巻き付け方向の一方の端部近傍１０ａに、更に、メッセージ１５を印字しても良い。これにより、更に、複数のメッセージを受取人に伝えることが可能となる。
【００２７】
又、包装材１の封止手段は、本発明の目的を阻害しない限り、特に限定は無く、例えば、図１に示すように、台紙１０の巻き付け方向の一方の端部近傍１０ａに、スリット１６ａを設け、台紙１０の巻き付け方向の一方の端部近傍１０ｂに、前記スリット１６ａに差し込み可能で、台紙１０の内向きにコ状を有する係止部１６ｂを設けると好ましい。これにより、台紙１０への抜き加工により簡単に包装材１の封止手段を設けることが可能となる。尚、スリット１６ａは、図１に示すように、台紙１０の巻き付け方向の内向きで、記入欄１１に隣接する位置に設けられる。又、スリット１６ａ又は係止部１６ｂの近傍に、開封を示す文字（例えば、「ＯＰＥＮ」）を適宜設けると好ましい。又、包装材１の封止手段として、上述の他に、例えば、公知のシールやピン等を用いても構わない。
【００２８】
又、メッセージ１２ｂを含むデザイン１２ｃの位置は、本発明の目的を阻害しない限り、特に限定は無いが、例えば、図１に示すように、緩衝材１２（クッション材１２ａ）の内面又は外面に均等に分散して（満遍なく）設けられると好ましい。これにより、緩衝材１２全体の形状を容易に変形することが可能となり、多種の商品Ｍを包装することが可能となる。
【００２９】
又、緩衝材１２（クッション材１２ａ）の外面（内面）に対するデザイン１２ｃの面積占有率は、本発明の目的を阻害しない限り、特に限定は無いが、例えば、５分の１から３文の１とされると好ましく、４分の１から３分の１とされると好ましい。尚、面積占有率とは、クッション材１２の外面又は内面の単位面積当たりにデザイン１２ｃの面積（型抜きされる面積、くり貫かれる面積）が占める割合を意味する。これにより、商品Ｍを保護する緩衝機能とデザイン１２ｃを効果的に見せる視覚機能とを適度に兼ね合わせることが可能となる。
【００３０】
又、デザイン１２ｃの種類は、本発明の目的を阻害しない限り、特に限定は無く、例えば、花柄、森、映写機、人物、動物、植物、建物、飲食物、風景等を挙げることが出来る。ここで、図１に示すように、デザイン１２ｃに、名刺サイズに対応するサイズの長方形状１２ｄを設けると好ましい。これにより、発送者が商品Ｍを包装する際に、この長方形状１２ｄに対応する台紙１０の位置（領域）に、発送者の名刺を貼り付ければ、商品Ｍを包装した発送者の素性や会社等を受取人に明確に伝えることが可能となり、受取人に対する発送者の距離を縮めることが出来る。
【００３１】
又、メッセージ１２ｂの種類は、本発明の目的を阻害しない限り、特に限定は無く、例えば、感謝文「Ｔｈａｎｋ  ｙｏｕ！」、お誕生日「Ｈａｐｐｙ  Ｂｉｒｔｈｄａｙ！」、ご結婚祝い「Ｃｏｎｇｒａｔｕｌａｔｉｏｎ！」、恋人への思い「Ｉ  ｌｏｖｅ  Ｙｏｕ！」、お祝いのお返し「ＴＨＡＮＫＳ！」、和風「お祝い」、特別な記念日「ＳＰＥＣＩＡＬＤＡＹ！」、「喜喜」等を挙げることが出来る。
【００３２】
又、メッセージ１２ｂの位置は、本発明の目的を阻害しない限り、特に限定は無いが、例えば、緩衝材１２の中央部に位置すると好ましい。これにより、商品Ｍを包装材１から取り出した受取人に、緩衝材１２のメッセージ１２ｂを確実に注目させることが可能となる。
【００３３】
又、緩衝材１２（クッション材１２ａ）の材質は、本発明の目的を阻害しない限り、特に限定は無く、例えば、合成樹脂、発泡材等を挙げることが出来る。又、緩衝材１２の厚みは、本発明の目的を阻害しない限り、特に限定は無いが、３ｍｍ〜１５ｍｍが好ましく、３ｍｍ〜１０ｍｍが更に好ましい。これにより、上述した緩衝機能とデザイン１２ｃを立体的に見せる視覚機能とを適度に兼ね合わせることが可能となる。
【００３４】
又、接着部１３の位置は、本発明の目的を阻害しない限り、特に限定は無く、例えば、台紙１０上において緩衝材１２の位置に遊びが生じる範囲内で、緩衝材１２の内面の四隅の他に、緩衝材１２の内面の中央、中央近傍、四隅の近傍等の位置を加えても構わない。尚、接着部１３の位置は、当然に、型抜きされたデザイン１２ｃ以外の部分の緩衝材１２と台紙１０とが対面する位置となる。
【００３５】
又、商品Ｍを巻き付けた包装材１又は台紙１０を固定するための帯を更に設けても構わない。これにより、商品Ｍを強固に包装することが可能となる。
【００３６】
又、商品Ｍの種類は、本発明の目的を阻害しない限り、特に限定は無く、台紙１０及び緩衝材１２で巻き付け可能な商品であれば、どのような種類の商品でも構わない。
【００３７】
又、図４、図５に示すように、緩衝材１２の本体部の巻き付け方向と直角方向の一方又は他方に、側面部１７を更に設けるよう構成しても良い。これにより、緩衝材１２を介して台紙１０を商品Ｍに巻き付けた場合に、一方又は他方の側面部１７を内側に折り曲げると、当該側面部１７が蓋となり、包装材１全体として商品Ｍを封することが可能となる。
【００３８】
ここで、緩衝材１２（本体部）に設けられる側面部１７の形状は、本発明の目的を阻害しない限り、特に限定は無く、例えば、図４、図５に示すように、略円形としても良いし、楕円形や多角形等としても構わない。
【００３９】
又、側面部１７は、緩衝材１２のデザイン１２ｃに対応して、所定のデザイン１７ａが型抜きされると好ましい。又、側面部１７のデザイン１７ａは、緩衝材１２のデザイン１２ｃと整合していると更に好ましい。又、側面部１７は、緩衝材１２と一体成型されると更に好ましい。
【００４０】
又、側面部１７の位置は、本発明の目的を阻害しない限り、特に限定は無く、例えば、図４に示すように、一方の側面部１７が緩衝材１２の本体部を介して他方の側面部１７に対向する位置にしても良いし、図５に示すように、一方の側面部１７が他方の側面部１７に対して斜めの位置にしても良い。
【００４１】
又、側面部１７と緩衝材１２（本体部）との接続箇所に、切り取り可能な切り取り線を設けて、側面部１７を緩衝材１２から切り離し可能とすると更に好ましい。これにより、商品Ｍから開封した包装材１において緩衝材１２から側面部１７を切り離して、この側面部１７を、例えば、コースターとして使用することが可能となる。
【００４２】
又、図１−図５では、台紙１０及び緩衝材１２の形状を、巻き付け方向に沿って長方形状に構成したが、他の形状に構成しても構わない。例えば、図６に示すように、台紙１０及び緩衝材１２の形状を、正方形状に構成しても良い。これにより、例えば、商品Ｍが酒瓶、ワインボトル、調味料用瓶、ビール瓶等の長尺物である場合に、当該商品Ｍを台紙１０及び緩衝材１２で巻き付け易くなるので、特に有効である。
【産業上の利用可能性】
【００４３】
以上のように、本発明に係る包装材は、商品の包装及び発送を必要とするあらゆる分野の業務用又は家庭用の包装材として有用であり、ふみ（お手紙）と風呂敷（包み）を兼ね備えた新規なメッセージツールとして発送者が送るメッセージを受取人に強く印象付けることが可能な包装材として有効である。
【符号の説明】
【００４４】
１  包装材
１０  台紙
１１  記入欄
１２  緩衝材
１３  接着部
Ｍ  商品
【図１】
2015140217.tif 000003
【図２】
2015140217.tif 000004
【図３】
2015140217.tif 000005
【図４】
2015140217.tif 000006
【図５】
2015140217.tif 000007
【図６】
2015140217.tif 000008
【手続補正書】
【提出日】平成26年9月7日(2014.9.7)
【手続補正１】
【補正対象書類名】特許請求の範囲
【補正対象項目名】全文
【補正方法】変更
【補正の内容】
【特許請求の範囲】
【請求項１】
商品に巻き付けて包装する包装材であって、
台紙と、
前記台紙の外面に設けられた、メッセージを記入可能な記入欄と、
前記台紙の内面に設けられ、所定の厚みを有するシート状のクッション材に、メッセージを含むデザインを型抜きして得られた緩衝材と、
前記台紙の内面に前記緩衝材の内面を覆った状態で、少なくとも前記緩衝材の内面の四隅を前記台紙の内面の対応位置に接着する接着部と
を備え、
前記接着部が前記緩衝材の内面の四隅を接着して前記緩衝材の内面の全面を台紙の内面に接着していないため、前記台紙上において緩衝材の位置に遊びが生じて、前記緩衝材を自由に動かすことが可能であり、
発送者が受取人に商品を発送する際に、当該商品を包装材の緩衝材の上面に置いて、当該緩衝材の形状を商品の形状に追従させて、緩衝材とともに台紙を商品に巻き付け、現れた当該台紙の外面の記入欄に受取人に対するメッセージを記入し、前記台紙を更に商品に巻き付けることで、前記商品が緩衝材を介して台紙に包装されることを特徴とする包装材。
【請求項２】
記入欄の位置は、台紙の外面の巻き付け方向の一方の端部近傍に設けられ、
緩衝材の位置は、台紙の内面の巻き付け方向の他方の端部近傍に、記入欄に対応する領域を除いた領域に設けられ、
記入欄と緩衝材の配置位置は、台紙の巻き付け方向の一方の端部近傍に共通し、
発送者が受取人への商品を緩衝材に置いて、台紙の外面の巻き付け方向の一方の端部近傍を商品に巻き付ければ、当該一方の端部近傍に設けられた記入欄が現れ、前記台紙の外面の巻き付け方向の他方の端部近傍を前記商品に巻き付ければ、前記緩衝材が存在しない台紙の内面の巻き付け方向の他方の端部近傍が、前記記入欄を覆い隠す
請求項１に記載の包装材。
【請求項３】
前記緩衝材の本体部の巻き付け方向と直角方向の一方又は他方に、側面部を更に設け、
前記緩衝材を介して台紙を商品に巻き付けた場合に、一方又は他方の側面部を内側に折り曲げることで、当該側面部が蓋となり、包装材全体として商品を封する
請求項１又は２に記載の包装材。
【請求項４】
前記側面部と緩衝材の本体部との接続箇所に、切り取り可能な切り取り線を設け、前記側面部を緩衝材から切り離し可能とする
請求項３に記載の包装材。
【手続補正２】
【補正対象書類名】明細書
【補正対象項目名】０００９
【補正方法】変更
【補正の内容】
【０００９】
本発明者は、鋭意研究を重ねた結果、本発明に係る新規な包装材を完成させた。即ち、本発明は、商品に巻き付けて包装する包装材であって、台紙と、前記台紙の外面に設けられた、メッセージを記入可能な記入欄と、前記台紙の内面に設けられ、所定の厚みを有するシート状のクッション材に、メッセージを含むデザインを型抜きして得られた緩衝材と、前記台紙の内面に前記緩衝材の内面を覆った状態で、少なくとも前記緩衝材の内面の四隅を前記台紙の内面の対応位置に接着する接着部とを備える。又、本発明は、前記接着部が前記緩衝材の内面の四隅を接着して前記緩衝材の内面の全面を台紙の内面に接着していないため、前記台紙上において緩衝材の位置に遊びが生じて、前記緩衝材を自由に動かすことが可能であり、発送者が受取人に商品を発送する際に、当該商品を包装材の緩衝材の上面に置いて、当該緩衝材の形状を商品の形状に追従させて、緩衝材とともに台紙を商品に巻き付け、現れた当該台紙の外面の記入欄に受取人に対するメッセージを記入し、前記台紙を更に商品に巻き付けることで、前記商品が緩衝材を介して台紙に包装されることを特徴とする。又、本発明は、記入欄の位置は、台紙の外面の巻き付け方向の一方の端部近傍に設けられ、緩衝材の位置は、台紙の内面の巻き付け方向の他方の端部近傍に、記入欄に対応する領域を除いた領域に設けられ、記入欄と緩衝材の配置位置は、台紙の巻き付け方向の一方の端部近傍に共通し、発送者が受取人への商品を緩衝材に置いて、台紙の外面の巻き付け方向の一方の端部近傍を商品に巻き付ければ、当該一方の端部近傍に設けられた記入欄が現れ、前記台紙の外面の巻き付け方向の他方の端部近傍を前記商品に巻き付ければ、前記緩衝材が存在しない台紙の内面の巻き付け方向の他方の端部近傍が、前記記入欄を覆い隠す。又、本発明は、前記緩衝材の本体部の巻き付け方向と直角方向の一方又は他方に、側面部を更に設け、前記緩衝材を介して台紙を商品に巻き付けた場合に、一方又は他方の側面部を内側に折り曲げることで、当該側面部が蓋となり、包装材全体として商品を封する。又、本発明は、前記側面部と緩衝材の本体部との接続箇所に、切り取り可能な切り取り線を設け、前記側面部を緩衝材から切り離し可能とする。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
商品に巻き付けて包装する包装材であって、
台紙と、
前記台紙の外面に設けられた、メッセージを記入可能な記入欄と、
前記台紙の内面に設けられ、所定の厚みを有するシート状のクッション材に、メッセージを含むデザインを型抜きして得られた緩衝材と、
前記台紙の内面に前記緩衝材の内面を覆った状態で、少なくとも前記緩衝材の内面の四隅を前記台紙の内面の対応位置に接着する接着部と
を備え、
前記接着部が前記緩衝材の内面の四隅を接着して前記緩衝材の内面の全面を台紙の内面に接着していないため、前記台紙上において緩衝材の位置に遊びが生じて、台紙上において緩衝材の位置に遊びが生じていないものと比べて前記緩衝材を自由に動かすことが可能であり、
発送者が受取人に商品を発送する際に、当該商品を包装材の緩衝材の上面に置いて、当該緩衝材の形状を商品の形状に追従させて、緩衝材とともに台紙を商品に巻き付け、現れた記入欄に受取人に対するメッセージを記入し、前記台紙を更に商品に巻き付けることで、前記商品が緩衝材を介して台紙に包装されることを特徴とする包装材。
【請求項２】
記入欄の位置は、台紙の外面の巻き付け方向の一方の端部近傍に設けられ、
緩衝材の位置は、台紙の内面の巻き付け方向の他方の端部近傍の記入欄に対応する領域を除いた領域に設けられ、
記入欄と緩衝材の配置位置は、台紙の巻き付け方向の一方の端部近傍に共通し、
発送者が受取人への商品を緩衝材に置いて、台紙の外面の巻き付け方向の一方の端部近傍を商品に巻き付ければ、当該一方の端部近傍に設けられた記入欄が現れ、前記台紙の外面の巻き付け方向の他方の端部近傍を前記商品に巻き付ければ、前記緩衝材が存在しない台紙の内面の巻き付け方向の他方の端部近傍が、前記記入欄を覆い隠す
請求項１に記載の包装材。
【請求項３】
前記緩衝材の本体部の巻き付け方向と直角方向の一方又は他方に、側面部を更に設け、
前記緩衝材を介して台紙を商品に巻き付けた場合に、一方又は他方の側面部を内側に折り曲げることで、当該側面部が蓋となり、包装材全体として商品を封する
請求項１又は２に記載の包装材。
【請求項４】
前記側面部と緩衝材の本体部との接続箇所に、切り取り可能な切り取り線を設け、前記側面部を緩衝材から切り離し可能とする
請求項３に記載の包装材。
【手続補正２】
【補正対象書類名】明細書
【補正対象項目名】０００９
【補正方法】変更
【補正の内容】
【０００９】
本発明者は、鋭意研究を重ねた結果、本発明に係る新規な包装材を完成させた。即ち、本発明は、商品に巻き付けて包装する包装材であって、台紙と、前記台紙の外面に設けられた、メッセージを記入可能な記入欄と、前記台紙の内面に設けられ、所定の厚みを有するシート状のクッション材に、メッセージを含むデザインを型抜きして得られた緩衝材と、前記台紙の内面に前記緩衝材の内面を覆った状態で、少なくとも前記緩衝材の内面の四隅を前記台紙の内面の対応位置に接着する接着部とを備える。又、本発明は、前記接着部が前記緩衝材の内面の四隅を接着して前記緩衝材の内面の全面を台紙の内面に接着していないため、前記台紙上において緩衝材の位置に遊びが生じて、台紙上において緩衝材の位置に遊びが生じていないものと比べて前記緩衝材を自由に動かすことが可能であり、発送者が受取人に商品を発送する際に、当該商品を包装材の緩衝材の上面に置いて、当該緩衝材の形状を商品の形状に追従させて、緩衝材とともに台紙を商品に巻き付け、現れた記入欄に受取人に対するメッセージを記入し、前記台紙を更に商品に巻き付けることで、前記商品が緩衝材を介して台紙に包装されることを特徴とする。又、本発明は、記入欄の位置は、台紙の外面の巻き付け方向の一方の端部近傍に設けられ、緩衝材の位置は、台紙の内面の巻き付け方向の他方の端部近傍の記入欄に対応する領域を除いた領域に設けられ、記入欄と緩衝材の配置位置は、台紙の巻き付け方向の一方の端部近傍に共通し、発送者が受取人への商品を緩衝材に置いて、台紙の外面の巻き付け方向の一方の端部近傍を商品に巻き付ければ、当該一方の端部近傍に設けられた記入欄が現れ、前記台紙の外面の巻き付け方向の他方の端部近傍を前記商品に巻き付ければ、前記緩衝材が存在しない台紙の内面の巻き付け方向の他方の端部近傍が、前記記入欄を覆い隠す。又、本発明は、前記緩衝材の本体部の巻き付け方向と直角方向の一方又は他方に、側面部を更に設け、前記緩衝材を介して台紙を商品に巻き付けた場合に、一方又は他方の側面部を内側に折り曲げることで、当該側面部が蓋となり、包装材全体として商品を封する。又、本発明は、前記側面部と緩衝材の本体部との接続箇所に、切り取り可能な切り取り線を設け、前記側面部を緩衝材から切り離し可能とする。
【手続補正３】
【補正対象書類名】明細書
【補正対象項目名】００２６
【補正方法】変更
【補正の内容】
【００２６】
又、図３Ｂに示すように、台紙１０の外面１０Ｓの巻き付け方向の他方の端部近傍１０ａに、更に、メッセージ１５を印字しても良い。これにより、更に、複数のメッセージを受取人に伝えることが可能となる。
【手続補正４】
【補正対象書類名】明細書
【補正対象項目名】００２７
【補正方法】変更
【補正の内容】
【００２７】
又、包装材１の封止手段は、本発明の目的を阻害しない限り、特に限定は無く、例えば、図１に示すように、台紙１０の巻き付け方向の一方の端部近傍１０ａに、スリット１６ａを設け、台紙１０の巻き付け方向の他方の端部近傍１０ｂに、前記スリット１６ａに差し込み可能で、台紙１０の内向きにコ状を有する係止部１６ｂを設けると好ましい。これにより、台紙１０への抜き加工により簡単に包装材１の封止手段を設けることが可能となる。尚、スリット１６ａは、図１に示すように、台紙１０の巻き付け方向の内向きで、記入欄１１に隣接する位置に設けられる。又、スリット１６ａ又は係止部１６ｂの近傍に、開封を示す文字（例えば、「ＯＰＥＮ」）を適宜設けると好ましい。又、包装材１の封止手段として、上述の他に、例えば、公知のシールやピン等を用いても構わない。